(57)【特許請求の範囲】
【請求項１】
移動機と、１つ以上のセルを収容する無線基地局と、前記無線基地局を制御する無線基地局制御装置と、前記無線基地局と前記無線基地局制御装置との間に複数の伝送路種別の伝送路とを有してなる移動通信システムにおいて、
前記無線基地局制御装置は、前記無線基地局を識別するための無線基地局識別情報と、該無線基地局と該無線基地局制御装置との間の前記伝送路の伝送路種別と、前記伝送路上で伝送される情報の種類とが対応付けられて登録されている第１のテーブルを有し、前記無線基地局間ハンドオーバのタイミングで前記第１のテーブルを参照して前記無線基地局識別情報と前記伝送路上で伝送される情報の種類とに対応付けられた伝送路を選択し、前記伝送される情報を伝送するための前記伝送路の帯域を確保することを特徴とする移動通信システム。
【請求項２】
請求項１に記載の移動通信システムにおいて、
前記無線基地局制御装置は、ベアラサービスが追加あるいは削除されるタイミングで前記第１のテーブルを参照して前記無線基地局識別情報と前記伝送路上で伝送される情報の種類とに対応付けられた伝送路を選択し、前記伝送される情報を伝送するための前記伝送路の帯域を確保することを特徴とする移動通信システム。
【請求項３】
請求項１または請求項２に記載の移動通信システムにおいて、
前記無線基地局制御装置は、前記伝送路種別と、前記無線基地局制御装置から更新を要求された設定情報に基づいて前記無線基地局及び前記移動機が設定を更新する更新タイミング情報とが対応付けられて登録されている第２のテーブルを有し、前記第２のテーブルを参照して前記伝送路種別に対応付けられた更新タイミング情報を含む設定要求メッセージを作成し、前記伝送路を介して前記無線基地局及び前記移動機へ前記設定要求メッセージを送信することを特徴とする移動通信システム。
【請求項４】
請求項１または請求項２に記載の移動通信システムにおいて、
前記無線基地局制御装置は、前記伝送される情報を伝送するための前記伝送路の帯域を確保できない場合、前記第１のテーブルを参照して前記無線基地局識別情報と前記伝送路上で伝送される情報の種類とに対応付けられた伝送路以外の伝送路を選択し、該選択された伝送路上で前記情報を伝送するための帯域を確保することを特徴とする移動通信システム。
【請求項５】
請求項４に記載の移動通信システムにおいて、
前記無線基地局制御装置は、前記第１のテーブルにて前記無線基地局識別情報と前記伝送路上で伝送される情報の種類とに対応付けられた伝送路以外の伝送路上を伝送されている情報について、前記第１のテーブルにて前記無線基地局識別情報と前記伝送路上で伝送される情報の種類とに対応付けられた伝送路を選択し、該選択された伝送路上で前記情報を伝送するための帯域を確保することを特徴とする移動通信システム。
【請求項６】
請求項５に記載の移動通信システムにおいて、
前記無線基地局制御装置は、伝送路の利用状況が格納された第３のテーブルを有し、前記第３のテーブルに基づいて、前記第１のテーブルにて前記無線基地局識別情報と前記伝送路上で伝送される情報の種類とに対応付けられた伝送路以外の伝送路上を伝送されている情報について、前記第１のテーブルにて前記無線基地局識別情報と前記伝送路上で伝送される情報の種類とに対応付けられた伝送路を選択し、該選択された伝送路上で前記情報を伝送するための帯域を確保することを特徴とする移動通信システム。
【請求項７】
移動機が存在可能なセルを収容する無線基地局に、複数の伝送路種別の伝送路を介して接続された無線基地局制御装置であって、
前記無線基地局を識別するための無線基地局識別情報と、該無線基地局と該無線基地局制御装置との間の前記伝送路の伝送路種別と、前記伝送路上で伝送される情報の種類とが対応付けられて登録されている第１のテーブルを有し、前記無線基地局間ハンドオーバのタイミングで前記第１のテーブルを参照して前記無線基地局識別情報と前記伝送路上で伝送される情報の種類とに対応付けられた伝送路を選択し、前記伝送される情報を伝送するための前記伝送路の帯域を確保する無線基地局制御装置。
【請求項８】
請求項７に記載の無線基地局制御装置において、
ベアラサービスが追加あるいは削除されるタイミングで前記第１のテーブルを参照して前記無線基地局識別情報と前記伝送路上で伝送される情報の種類とに対応付けられた伝送路を選択し、前記伝送される情報を伝送するための前記伝送路の帯域を確保することを特徴とする無線基地局制御装置。
【請求項９】
請求項７または請求項８に記載の無線基地局制御装置において、
前記伝送路種別と、前記無線基地局制御装置から更新を要求された設定情報に基づいて前記無線基地局及び前記移動機が設定を更新する更新タイミング情報とが対応付けられて登録されている第２のテーブルを有し、前記第２のテーブルを参照して前記伝送路種別に対応付けられた更新タイミング情報を含む設定要求メッセージを作成し、前記伝送路を介して前記無線基地局及び前記移動機へ前記設定要求メッセージを送信することを特徴とする無線基地局制御装置。
【請求項１０】
請求項７または請求項８に記載の無線基地局制御装置において、
前記伝送される情報を伝送するための前記伝送路の帯域を確保できない場合、前記第１のテーブルを参照して前記無線基地局識別情報と前記伝送路上で伝送される情報の種類とに対応付けられた伝送路以外の伝送路を選択し、該選択された伝送路上で前記情報を伝送するための帯域を確保することを特徴とする無線基地局制御装置。
【請求項１１】
請求項１０に記載の無線基地局制御装置において、
前記第１のテーブルにて前記無線基地局識別情報と前記伝送路上で伝送される情報の種類とに対応付けられた伝送路以外の伝送路上を伝送されている情報について、前記第１のテーブルにて前記無線基地局識別情報と前記伝送路上で伝送される情報の種類とに対応付けられた伝送路を選択し、該選択された伝送路上で前記情報を伝送するための帯域を確保することを特徴とする無線基地局制御装置。
【請求項１２】
請求項１１に記載の無線基地局制御装置において、
伝送路の利用状況が格納された第３のテーブルを有し、前記第３のテーブルに基づいて、前記第１のテーブルにて前記無線基地局識別情報と前記伝送路上で伝送される情報の種類とに対応付けられた伝送路以外の伝送路上を伝送されている情報について、前記第１のテーブルにて前記無線基地局識別情報と前記伝送路上で伝送される情報の種類とに対応付けられた伝送路を選択し、該選択された伝送路上で前記情報を伝送するための帯域を確保することを特徴とする無線基地局制御装置。
【請求項１３】
移動機と、１つ以上のセルを収容する無線基地局と、前記無線基地局を制御し、前記無線基地局を識別するための無線基地局識別情報と前記無線基地局との間の伝送路の伝送路種別と前記伝送路上で伝送される情報の種類とが対応付けられて登録されている第１のテーブル及び前記無線基地局と前記移動機とが設定を更新する更新タイミング情報と前記伝送路種別とが対応付けられて登録されている第２のテーブルを備えた無線基地局制御装置と、前記無線基地局と前記無線基地局制御装置との間に複数の伝送路種別の伝送路とを有してなる移動通信システムにおける動作制御方法であって、
前記無線基地局制御装置が、前記無線基地局間ハンドオーバのタイミングで前記第１のテーブルを参照して前記無線基地局識別情報と前記伝送路上で伝送される情報の種類とに対応付けられた伝送路を選択する処理と、
前記無線基地局制御装置が、前記伝送される情報を伝送するための前記伝送路の帯域を確保する処理とを有する動作制御方法。
【請求項１４】
請求項１３に記載の動作制御方法において、
前記無線基地局制御装置が、ベアラサービスが追加あるいは削除されるタイミングで前記第１のテーブルを参照して前記無線基地局識別情報と前記伝送路上で伝送される情報の種類とに対応付けられた伝送路を選択する処理と、
前記無線基地局制御装置が、前記伝送される情報を伝送するための前記伝送路の帯域を確保する処理とを有することを特徴とする動作制御方法。
【請求項１５】
請求項１３または請求項１４に記載の動作制御方法において、
前記無線基地局制御装置が、前記第２のテーブルを参照して前記伝送路種別に対応付けられた更新タイミング情報を含む設定要求メッセージを作成する処理と、
前記無線基地局制御装置が、前記伝送路を介して前記無線基地局及び前記移動機へ前記設定要求メッセージを送信する処理とを有することを特徴とする動作制御方法。
【請求項１６】
請求項１３または請求項１４に記載の動作制御方法において、
前記伝送される情報を伝送するための前記伝送路の帯域を確保できない場合、前記無線基地局制御装置が、前記第１のテーブルを参照して前記無線基地局識別情報と前記伝送路上で伝送される情報の種類とに対応付けられた伝送路以外の伝送路を選択する処理と、
前記無線基地局制御装置が、前記選択された伝送路上で前記情報を伝送するための帯域を確保する処理とを有することを特徴とする動作制御方法。
【請求項１７】
請求項１６に記載の動作制御方法において、
前記第１のテーブルにて前記無線基地局識別情報と前記伝送路上で伝送される情報の種類とに対応付けられた伝送路以外の伝送路上を伝送されている情報について、前記無線基地局制御装置が、前記第１のテーブルにて前記無線基地局識別情報と前記伝送路上で伝送される情報の種類とに対応付けられた伝送路を選択する処理と、
前記無線基地局制御装置が、前記選択された伝送路上で前記情報を伝送するための帯域を確保する処理とを有することを特徴とする動作制御方法。
【請求項１８】
請求項１７に記載の動作制御方法において、
伝送路の利用状況が格納された第３のテーブルに基づいて、前記第１のテーブルにて前記無線基地局識別情報と前記伝送路上で伝送される情報の種類とに対応付けられた伝送路以外の伝送路上を伝送されている情報について、前記無線基地局制御装置が、前記第１のテーブルにて前記無線基地局識別情報と前記伝送路上で伝送される情報の種類とに対応付けられた伝送路を選択する処理と、
前記無線基地局制御装置が、前記選択された伝送路上で前記情報を伝送するための帯域を確保する処理とを有することを特徴とする動作制御方法。
【発明の詳細な説明】
【技術分野】
【０００１】
本発明は、複数の伝送路種別の伝送路を適用する移動通信システム、無線基地局制御装置及び動作制御方法に関する。
【背景技術】
【０００２】
近年、移動通信システムを構成する方式として、Ｗ−ＣＤＭＡ（Wideband-Code Division Multiple Access）方式が急速に普及してきている。
【０００３】
図１０は、従来のＷ−ＣＤＭＡ方式を用いた移動通信システムの構成の一例を示す図である。
【０００４】
図１０に示したＷ−ＣＤＭＡ方式用いた移動通信システムの構成は、ＣＮ（Core Network）１００１と、ＲＡＮ（Radio Access Network）１００２と、ＵＥ（User Equipment）１００３とから構成されている。ＣＮ１００１は、回線交換サービスまたはパケット交換サービスを提供するコアネットワークである。ＲＡＮ１００２は、Ｉｕインタフェースを介してＣＮ１００１と接続される無線アクセスネットワークである。ＵＥ１００３は、ユーザが所持する移動機であり、Ｕｕインタフェースを介してＲＡＮ１００２と接続される。
【０００５】
さらにＲＡＮ１００２は、ＲＮＣ（Radio Network Controller）１００４，１００５と、Ｎｏｄｅ  Ｂ１００６〜１００９とから構成されている。ＲＮＣ１００４，１００５は、Ｎｏｄｅ  Ｂ１００６〜１００９を制御する無線基地局制御装置であり、Ｉｕｂインタフェースを介してＮｏｄｅ  Ｂ１００６〜１００９と接続されている。Ｎｏｄｅ  Ｂ１００６〜１００９は、１つ以上のセルを収容する無線基地局である。なお、ＲＮＣ１００４，１００５や、Ｎｏｄｅ  Ｂ１００６〜１００９の数については、図１０に示した数に限らない。
【０００６】
ここで、無線アクセスネットワークであるＲＡＮ１００２として適用される伝送路として、ＡＴＭネットワークとＩＰネットワークとが考えられ、それらのどちらにも対応できる無線ネットワーク制御装置が考えられている（例えば、特許文献１参照。）。
【特許文献１】国際公開第２００４／０２８０９８号パンフレット
【発明の開示】
【発明が解決しようとする課題】
【０００７】
しかしながら、これまでＲＡＮとして広く利用されてきたＡＴＭネットワークは、様々な特性を持つトラヒックに対して、充実したトラヒック管理や品質制御機能を持ち、回線交換サービスのみならずパケット交換サービスを転送するために有効な技術であるが、ＲＡＮの広い範囲をカバーするためにはＡＴＭ回線を敷き詰める必要があり、導入コストや運用コストが高くなってしまうという問題点がある。
【０００８】
一方、３ＧＰＰ（3rd Generation Partnership Project）のＲｅｌ．５仕様で新たに追加されたＩＰネットワークは、固定網の世界における爆発的な発展により、ＡＴＭネットワークと比べて導入コストや運用コストを低く抑えられるが、伝送遅延が大きく制御情報や回線交換サービスを転送するには不向きであるという問題点がある。
【０００９】
また、特許文献１に記載された方法においては、ＡＴＭネットワークとＩＰネットワークとのその状況に応じた臨機応変な選択方法については述べられていない。
【００１０】
本発明は、上述したような従来の技術が有する問題点に鑑みてなされたものであって、状況に応じた伝送路を容易に選択することができる移動通信システム、無線基地局制御装置及び動作制御方法を提供することを目的とする。
【課題を解決するための手段】
【００１１】
上記目的を達成するために本発明は、
移動機と、１つ以上のセルを収容する無線基地局と、前記無線基地局を制御する無線基地局制御装置と、前記無線基地局と前記無線基地局制御装置との間に複数の伝送路種別の伝送路とを有してなる移動通信システムにおいて、
前記無線基地局制御装置は、前記無線基地局を識別するための無線基地局識別情報と、該無線基地局と該無線基地局制御装置との間の前記伝送路の伝送路種別と、前記伝送路上で伝送される情報の種類とが対応付けられて登録されている第１のテーブルを有し、前記無線基地局間ハンドオーバのタイミングで前記第１のテーブルを参照して前記無線基地局識別情報と前記伝送路上で伝送される情報の種類とに対応付けられた伝送路を選択し、前記伝送される情報を伝送するための前記伝送路の帯域を確保することを特徴とする。
【００１２】
また、前記無線基地局制御装置は、ベアラサービスが追加あるいは削除されるタイミングで前記第１のテーブルを参照して前記無線基地局識別情報と前記伝送路上で伝送される情報の種類とに対応付けられた伝送路を選択し、前記伝送される情報を伝送するための前記伝送路の帯域を確保することを特徴とする。
【００１３】
また、前記無線基地局制御装置は、前記伝送路種別と、前記無線基地局制御装置から更新を要求された設定情報に基づいて前記無線基地局及び前記移動機が設定を更新する更新タイミング情報とが対応付けられて登録されている第２のテーブルを有し、前記第２のテーブルを参照して前記伝送路種別に対応付けられた更新タイミング情報を含む設定要求メッセージを作成し、前記伝送路を介して前記無線基地局及び前記移動機へ前記設定要求メッセージを送信することを特徴とする。
【００１４】
また、前記無線基地局制御装置は、前記伝送される情報を伝送するための前記伝送路の帯域を確保できない場合、前記第１のテーブルを参照して前記無線基地局識別情報と前記伝送路上で伝送される情報の種類とに対応付けられた伝送路以外の伝送路を選択し、該選択された伝送路上で前記情報を伝送するための帯域を確保することを特徴とする。
【００１５】
また、前記無線基地局制御装置は、前記第１のテーブルにて前記無線基地局識別情報と前記伝送路上で伝送される情報の種類とに対応付けられた伝送路以外の伝送路上を伝送されている情報について、前記第１のテーブルにて前記無線基地局識別情報と前記伝送路上で伝送される情報の種類とに対応付けられた伝送路を選択し、該選択された伝送路上で前記情報を伝送するための帯域を確保することを特徴とする。
【００１６】
また、前記無線基地局制御装置は、伝送路の利用状況が格納された第３のテーブルを有し、前記第３のテーブルに基づいて、前記第１のテーブルにて前記無線基地局識別情報と前記伝送路上で伝送される情報の種類とに対応付けられた伝送路以外の伝送路上を伝送されている情報について、前記第１のテーブルにて前記無線基地局識別情報と前記伝送路上で伝送される情報の種類とに対応付けられた伝送路を選択し、該選択された伝送路上で前記情報を伝送するための帯域を確保することを特徴とする。
【００１７】
また、移動機が存在可能なセルを収容する無線基地局に、複数の伝送路種別の伝送路を介して接続された無線基地局制御装置であって、
前記無線基地局を識別するための無線基地局識別情報と、該無線基地局と該無線基地局制御装置との間の前記伝送路の伝送路種別と、前記伝送路上で伝送される情報の種類とが対応付けられて登録されている第１のテーブルを有し、前記無線基地局間ハンドオーバのタイミングで前記第１のテーブルを参照して前記無線基地局識別情報と前記伝送路上で伝送される情報の種類とに対応付けられた伝送路を選択し、前記伝送される情報を伝送するための前記伝送路の帯域を確保する。
【００１８】
また、ベアラサービスが追加あるいは削除されるタイミングで前記第１のテーブルを参照して前記無線基地局識別情報と前記伝送路上で伝送される情報の種類とに対応付けられた伝送路を選択し、前記伝送される情報を伝送するための前記伝送路の帯域を確保することを特徴とする。
【００１９】
また、前記伝送路種別と、前記無線基地局制御装置から更新を要求された設定情報に基づいて前記無線基地局及び前記移動機が設定を更新する更新タイミング情報とが対応付けられて登録されている第２のテーブルを有し、前記第２のテーブルを参照して前記伝送路種別に対応付けられた更新タイミング情報を含む設定要求メッセージを作成し、前記伝送路を介して前記無線基地局及び前記移動機へ前記設定要求メッセージを送信することを特徴とする。
【００２０】
また、前記伝送される情報を伝送するための前記伝送路の帯域を確保できない場合、前記第１のテーブルを参照して前記無線基地局識別情報と前記伝送路上で伝送される情報の種類とに対応付けられた伝送路以外の伝送路を選択し、該選択された伝送路上で前記情報を伝送するための帯域を確保することを特徴とする。
【００２１】
また、前記第１のテーブルにて前記無線基地局識別情報と前記伝送路上で伝送される情報の種類とに対応付けられた伝送路以外の伝送路上を伝送されている情報について、前記第１のテーブルにて前記無線基地局識別情報と前記伝送路上で伝送される情報の種類とに対応付けられた伝送路を選択し、該選択された伝送路上で前記情報を伝送するための帯域を確保することを特徴とする。
【００２２】
また、伝送路の利用状況が格納された第３のテーブルを有し、前記第３のテーブルに基づいて、前記第１のテーブルにて前記無線基地局識別情報と前記伝送路上で伝送される情報の種類とに対応付けられた伝送路以外の伝送路上を伝送されている情報について、前記第１のテーブルにて前記無線基地局識別情報と前記伝送路上で伝送される情報の種類とに対応付けられた伝送路を選択し、該選択された伝送路上で前記情報を伝送するための帯域を確保することを特徴とする。
【００２３】
また、移動機と、１つ以上のセルを収容する無線基地局と、前記無線基地局を制御し、前記無線基地局を識別するための無線基地局識別情報と前記無線基地局との間の伝送路の伝送路種別と前記伝送路上で伝送される情報の種類とが対応付けられて登録されている第１のテーブル及び前記無線基地局と前記移動機とが設定を更新する更新タイミング情報と前記伝送路種別とが対応付けられて登録されている第２のテーブルを備えた無線基地局制御装置と、前記無線基地局と前記無線基地局制御装置との間に複数の伝送路種別の伝送路とを有してなる移動通信システムにおける動作制御方法であって、
前記無線基地局制御装置が、前記無線基地局間ハンドオーバのタイミングで前記第１のテーブルを参照して前記無線基地局識別情報と前記伝送路上で伝送される情報の種類とに対応付けられた伝送路を選択する処理と、
前記無線基地局制御装置が、前記伝送される情報を伝送するための前記伝送路の帯域を確保する処理とを有する。
【００２４】
また、前記無線基地局制御装置が、ベアラサービスが追加あるいは削除されるタイミングで前記第１のテーブルを参照して前記無線基地局識別情報と前記伝送路上で伝送される情報の種類とに対応付けられた伝送路を選択する処理と、
前記無線基地局制御装置が、前記伝送される情報を伝送するための前記伝送路の帯域を確保する処理とを有することを特徴とする。
【００２５】
また、前記無線基地局制御装置が、前記第２のテーブルを参照して前記伝送路種別に対応付けられた更新タイミング情報を含む設定要求メッセージを作成する処理と、
前記無線基地局制御装置が、前記伝送路を介して前記無線基地局及び前記移動機へ前記設定要求メッセージを送信する処理とを有することを特徴とする。
【００２６】
また、前記伝送される情報を伝送するための前記伝送路の帯域を確保できない場合、前記無線基地局制御装置が、前記第１のテーブルを参照して前記無線基地局識別情報と前記伝送路上で伝送される情報の種類とに対応付けられた伝送路以外の伝送路を選択する処理と、
前記無線基地局制御装置が、前記選択された伝送路上で前記情報を伝送するための帯域を確保する処理とを有することを特徴とする。
【００２７】
また、前記第１のテーブルにて前記無線基地局識別情報と前記伝送路上で伝送される情報の種類とに対応付けられた伝送路以外の伝送路上を伝送されている情報について、前記無線基地局制御装置が、前記第１のテーブルにて前記無線基地局識別情報と前記伝送路上で伝送される情報の種類とに対応付けられた伝送路を選択する処理と、
前記無線基地局制御装置が、前記選択された伝送路上で前記情報を伝送するための帯域を確保する処理とを有することを特徴とする。
【００２８】
また、伝送路の利用状況が格納された第３のテーブルに基づいて、前記第１のテーブルにて前記無線基地局識別情報と前記伝送路上で伝送される情報の種類とに対応付けられた伝送路以外の伝送路上を伝送されている情報について、前記無線基地局制御装置が、前記第１のテーブルにて前記無線基地局識別情報と前記伝送路上で伝送される情報の種類とに対応付けられた伝送路を選択する処理と、
前記無線基地局制御装置が、前記選択された伝送路上で前記情報を伝送するための帯域を確保する処理とを有することを特徴とする。
【００２９】
上記のように構成された本発明においては、無線基地局と無線基地局制御装置との間に設けられた複数の伝送路種別の伝送路のうち、無線基地局と伝送路上で伝送される情報の種類とに基づいて伝送路が選択され、伝送される情報を伝送するための伝送路の帯域が確保される。
【００３０】
これにより、任意のタイミングでその情報に適した伝送路が選択されるため、無駄な伝送遅延を生じさせること無く、移動通信システムに設けられた伝送路を有効に利用することができる。
【発明の効果】
【００３１】
以上説明したように本発明においては、無線基地局と無線基地局制御装置との間に設けられた複数の伝送路種別の伝送路のうち、無線基地局と伝送路上で伝送される情報の種類とに基づいて伝送路を選択し、伝送される情報を伝送するための伝送路の帯域を確保する構成としたため、状況に応じた伝送路を容易に選択することができる。
【発明を実施するための最良の形態】
【００３２】
以下に、本発明の実施の形態について図面を参照して説明する。
【００３３】
図１は、本発明の移動通信システムの実施の一形態を示す図である。
【００３４】
本形態は図１に示すように、ＣＮ１０１と、ＲＡＮ１０２と、ＵＥ１０３とから構成されている。ＣＮ１０１は、回線交換サービスまたはパケット交換サービスを提供する従来のコアネットワークである。ＲＡＮ１０２は、ＣＮ１０１と接続される無線アクセスネットワークである。ＵＥ１０３は、ユーザが所持する移動機であり、無線上でＲＡＮ１０２と接続される。
【００３５】
さらにＲＡＮ１０２は、ＲＮＣ１０４，１０５と、Ｎｏｄｅ  Ｂ１０６〜１０９と、ＡＴＭネットワーク１１０と、ＩＰネットワーク１１１とから構成されている。ＲＮＣ１０４，１０５は、Ｎｏｄｅ  Ｂ１０６〜１０９を制御する無線基地局制御装置であり、ＡＴＭネットワーク１１０またはＩＰネットワーク１１１の伝送路を介してＮｏｄｅ  Ｂ１０６〜１０９と接続されている。Ｎｏｄｅ  Ｂ１０６〜１０９は、１つ以上のセルを収容する無線基地局である。なお、ＲＮＣ１０４，１０５や、Ｎｏｄｅ  Ｂ１０６〜１０９の数については、図１に示した数に限らない。
【００３６】
以下に、図１に示したＲＮＣ１０４，１０５の一構成例を示す。
【００３７】
図２は、図１に示したＲＮＣ１０４の一構成例を示す図である。なお、図１に示したＲＮＣ１０５の構成についても、ＲＮＣ１０４の構成と同様の構成である。
【００３８】
図１に示したＲＮＣ１０４は図２に示すように、伝送路種別テーブル１４１と、設定更新タイミングテーブル１４２と、通信サービス利用状況テーブル１４３と、伝送路選択部１４４と、帯域確保部１４５と、設定更新タイミング決定部１４６と、情報伝送部１４７とから構成されている。なお、図２においては、図１に示したＲＮＣ１０４の構成のうち、本発明に関わる構成のみを示している。
【００３９】
伝送路種別テーブル１４１は、Ｎｏｄｅ  Ｂ１０６〜１０９との間の伝送路の種別が予め登録された第１のテーブルである。
【００４０】
図３は、図２に示した伝送路種別テーブル１４１に登録された内容の一例を示す図である。
【００４１】
図２に示した伝送路種別テーブル１４１には図３に示すように、Ｎｏｄｅ  Ｂ１０６〜１０９を識別するためにＮｏｄｅ  Ｂ１０６〜１０９それぞれに付与された固有の無線基地局識別情報であるＮｏｄｅ  Ｂ  ＩＤと、伝送路種別と、その伝送路種別を用いて伝送される情報の種類とが、それぞれ対応付けられて登録されている。ここで、Ｎｏｄｅ  Ｂ  ＩＤは、ＲＮＣ１０４がＮｏｄｅ  Ｂ１０６〜１０９を識別できる情報であれば良い。
【００４２】
例えば、Ｎｏｄｅ  Ｂ  ＩＤ＝１であるＮｏｄｅ  Ｂに伝送される情報は、全てＡＴＭネットワークを介して伝送されることが登録されている。また、Ｎｏｄｅ  Ｂ  ＩＤ＝２であるＮｏｄｅ  Ｂに伝送される情報のうち、制御メッセージ及び音声呼データは、ＡＴＭネットワークを介して伝送され、また、パケット呼データは、ＩＰネットワークを介して伝送されることが登録されている。また、Ｎｏｄｅ  Ｂ  ＩＤ＝３であるＮｏｄｅ  Ｂに伝送される情報は、全てＩＰネットワークを介して伝送されることが登録されている。さらに、Ｎｏｄｅ  Ｂ  ＩＤ＝４であるＮｏｄｅ  Ｂに伝送される情報のうち、制御メッセージは、ＡＴＭネットワークを介して伝送され、また、音声呼データ及びパケット呼データは、ＩＰネットワークを介して伝送されることが登録されている。
【００４３】
設定更新タイミングテーブル１４２は、伝送路種別に応じた設定更新タイミングの情報が予め登録された第２のテーブルである。
【００４４】
図４は、図２に示した設定更新タイミングテーブル１４２に登録された内容の一例を示す図である。
【００４５】
図２に示した設定更新タイミングテーブル１４２には図４に示すように、伝送路種別と、その伝送路種別を用いて伝送される無線制御パラメータ設定がＮｏｄｅ  Ｂ１０６〜１０９やＵＥ１０３にて更新されるタイミングである更新タイミング情報とが、それぞれ対応付けられて登録されている。
【００４６】
例えば、Ａという伝送路種別を用いて伝送される無線制御パラメータ設定がＮｏｄｅ  Ｂ１０６〜１０９やＵＥ１０３にて更新されるタイミングは１００ｍｓであることが登録されている。また、Ｂという伝送路種別を用いて伝送される無線制御パラメータ設定がＮｏｄｅ  Ｂ１０６〜１０９やＵＥ１０３にて更新されるタイミングは２００ｍｓであることが登録されている。また、Ｃという伝送路種別を用いて伝送される無線制御パラメータ設定がＮｏｄｅ  Ｂ１０６〜１０９やＵＥ１０３にて更新されるタイミングは５００ｍｓであることが登録されている。さらに、Ｄという伝送路種別を用いて伝送される無線制御パラメータ設定がＮｏｄｅ  Ｂ１０６〜１０９やＵＥ１０３にて更新されるタイミングは８００ｍｓであることが登録されている。これらは、伝送路種別によって伝送遅延が異なるため、それぞれの伝送路種別に応じた更新タイミングをＮｏｄｅ  Ｂ１０６〜１０９やＵＥ１０３に伝送するために設けられたものである。
【００４７】
通信サービス利用状況テーブル１４３は、ＵＥにおける通信サービスの利用状況が格納されている第３のテーブルである。
【００４８】
図５は、図２に示した通信サービス利用状況テーブル１４３に格納された内容の一例を示す図である。
【００４９】
図２に示した通信サービス利用状況テーブル１４３には図５に示すように、移動通信システム内でＵＥを一意に識別する移動機識別情報であるＵＥ  ＩＤと、当該ＵＥの通信サービスの利用状況とがそれぞれ対応付けられて格納されている。
【００５０】
例えば、ＵＥ  ＩＤ＝１であるＵＥは、データ送受信中であることが格納されている。また、ＵＥ  ＩＤ＝２であるＵＥは、数秒間、データ無通信であることが格納されている。また、ＵＥ  ＩＤ＝３であるＵＥは、数分間、データ無通信であることが格納されている。また、ＵＥ  ＩＤ＝４であるＵＥは、データ送受信中であることが格納されている。これらの格納タイミングは、任意に設定可能である。
【００５１】
伝送路選択部１４４は、伝送先のＮｏｄｅ  Ｂと伝送される情報の種類とに応じた伝送路種別を伝送路種別テーブル１４１から取得することにより、伝送路を選択する。
【００５２】
帯域確保部１４５は、情報を送受信するための帯域を伝送路上に確保する。
【００５３】
設定更新タイミング決定部１４６は、設定更新タイミングテーブル１４２を参照することにより、伝送路選択部１４４にて選択された伝送路に応じた設定更新タイミングを決定する。
【００５４】
情報伝送部１４７は、これらの情報をＮｏｄｅ  Ｂ１０６〜１０９、またはＵＥ１０３へ伝送する。
【００５５】
以下に、上記のように構成された移動通信システムにおける動作制御方法について説明する。
【００５６】
図６は、図１及び図２に示した移動通信システムにおける動作制御方法のうち、基地局間ハンドオーバのタイミングで伝送路を選択し、伝送される情報種別に合わせて伝送路の帯域を確保する方法を説明するためのシーケンス図である。
【００５７】
ＲＮＣ１０４にてＵＥ１０３から送信された無線品質報告が受信されると（ステップＳ１）、受信された無線品質に基づいてＮｏｄｅ  Ｂ間ハンドオーバが必要かどうかが判断される（ステップＳ２）。
【００５８】
Ｎｏｄｅ  Ｂ間ハンドオーバが必要であると判断された場合、伝送路選択部１４４によって伝送路種別テーブル１４１が参照され、ハンドオーバ先のＮｏｄｅ  Ｂ（この場合、Ｎｏｄｅ  Ｂ１０７）との間において情報が送受信される伝送路種別が選択される（ステップＳ３）。つまり、図３に示した伝送路種別テーブル１４１の例で説明すると、例えば、ハンドオーバ先のＮｏｄｅ  Ｂ１０７のＮｏｄｅ  Ｂ  ＩＤが２である場合、制御メッセージ及び音声呼データが伝送される伝送路についてはＡＴＭネットワーク１１０が選択され、また、パケット呼データが伝送される伝送路についてはＩＰネットワーク１１１が選択されることとなる。
【００５９】
伝送路種別が選択されると、呼と送受信される情報の種類と伝送路種別とがメモリ（不図示）に格納され（ステップＳ４）、情報が送受信されるために必要な帯域が帯域確保部１４５によって伝送路上に確保される（ステップＳ５）。帯域を確保する方法については、従来の方法と同様のため、ここでは説明しない。
【００６０】
そして、Ｎｏｄｅ  Ｂ１０７との間にて無線リンクを確立するために、伝送路を介してＮｏｄｅ  Ｂ１０７へ制御メッセージが送信される（ステップＳ６）。
【００６１】
無線リンクが確立された後、Ｎｏｄｅ  Ｂ１０７へ情報を伝送する際に、メモリから伝送路種別が取得され（ステップＳ７）、取得された伝送路を介して情報が送信される（ステップＳ８）。つまり、図３に示した伝送路種別テーブル１４１の例で説明すると、例えば、Ｎｏｄｅ  Ｂ１０７のＮｏｄｅ  Ｂ  ＩＤが２である場合、制御メッセージまたは音声呼データはＡＴＭネットワーク１１０を介してＮｏｄｅ  １０７へ送信され、また、パケット呼データはＩＰネットワーク１１１を介してＮｏｄｅ  １０７へ送信されることとなる。
【００６２】
これにより、基地局間ハンドオーバのタイミングでその情報に適した伝送路が選択されるため、無駄な伝送遅延を生じさせること無く、移動通信システムに設けられた伝送路を有効に利用することができる。
【００６３】
図７は、図１及び図２に示した移動通信システムにおける動作制御方法のうち、ベアラサービスが追加または削除されるタイミングで伝送路を選択し、伝送される情報種別に合わせて伝送路の帯域を確保する方法を説明するためのシーケンス図である。
【００６４】
ＣＮ１０１から送信されたベアラサービスの追加／削除要求がＲＮＣ１０４にて受信されると（ステップＳ１１）、受信された追加／削除要求が追加要求であるか削除要求であるかが判断される（ステップＳ１２）。
【００６５】
追加要求であると判断された場合、追加されるサービスに関連した情報がＮｏｄｅ  Ｂ１０７との間にて送受信されるための伝送路が伝送路選択部１４４によって選択される（ステップＳ１３）。このとき、図６に示したシーケンス図を用いて説明したものと同様に、伝送路種別テーブル１４１が参照され、伝送路種別テーブル１４１に登録されている内容に基づいて伝送路が選択される。
【００６６】
伝送路が選択されると、呼と送受信される情報の種類と伝送路種別とがメモリ（不図示）に格納され（ステップＳ１４）、情報が送受信されるために必要な帯域が帯域確保部１４５によって伝送路上に確保される（ステップＳ１５）。
【００６７】
一方、ステップＳ１２にて、追加要求ではない、つまり削除要求であると判断された場合、該当するベアラサービスを削除するためにメモリの内容が更新され（ステップＳ１６）、確保されていた帯域が解放される（ステップＳ１７）。
【００６８】
これにより、ベアラサービスが追加または削除されるタイミングでその情報に適した伝送路が選択されるため、無駄な伝送遅延を生じさせること無く、移動通信システムに設けられた伝送路を有効に利用することができる。
【００６９】
図８は、図１及び図２に示した移動通信システムにおける動作制御方法のうち、無線制御パラメータ設定の設定更新要求を作成して送信する方法を説明するためのシーケンス図である。
【００７０】
ＲＮＣ１０４から、Ｎｏｄｅ  Ｂ１０７やＵＥ１０３における無線制御パラメータ設定が更新される場合、設定更新タイミング決定部１４６によって設定更新タイミングテーブル１４２が参照され、Ｎｏｄｅ  Ｂ１０７やＵＥ１０３において当該設定が更新されるタイミングが決定される（ステップＳ２１）。つまり、当該無線制御パラメータが伝送される伝送路種別に基づいて更新タイミングが決定されることであり、例えば、図４に示した設定更新タイミングテーブル１４２の例で説明すると、伝送路種別がＡである場合、更新タイミングは１００ｍｓに決定される。
【００７１】
そして、当該更新タイミングである更新タイミング情報を含む無線制御パラメータの設定要求メッセージが作成され（ステップＳ２２）、作成された設定要求メッセージが伝送路を介してＮｏｄｅ  Ｂ１０７及びＵＥ１０３へ送信される（ステップＳ２３，Ｓ２４）。ここで、設定要求メッセージは、更新タイミングが含まれているものであれば良く、その他の詳細については規定しない。
【００７２】
これにより、伝送路種別によって異なる伝送遅延による更新タイミングのずれを防ぐことができる。
【００７３】
図９は、図１及び図２に示した移動通信システムにおける動作制御方法のうち、伝送路上に帯域を確保できない場合の伝送路の再選択の方法を説明するためのシーケンス図である。
【００７４】
選択された伝送路上に該情報を伝送するだけの帯域を確保できないと帯域確保部１４５にて判断された場合、伝送路に本来伝送されるべきではないデータがあるかどうかが判断される（ステップＳ３１）。これは、メモリに格納されている呼と送受信するデータの種類と伝送路の種別との対応付けをチェックすることにより行われる。
【００７５】
伝送路上に本来送受信されるべきでないデータが送受信されている場合、通信サービス利用状況テーブル１４３が参照され、他の伝送路に移し変えるＵＥ情報が決定される（ステップＳ３２）。例えば、データ送受信中である場合は、他の伝送路に移し変えることが困難であるが、無通信の時間が長い場合等は、他の伝送路に移し変えることが可能となる。
【００７６】
そして、伝送路種別テーブル１４１に基づいて、伝送路選択部１４３によって伝送路の再選択が行われる（ステップＳ３３）。この選択方法については、ステップＳ３にて説明した方法と同様である。
【００７７】
一方、伝送路上に本来送受信されるべきデータのみが送受信されている場合、伝送路種別テーブル１４１に基づいて、別の伝送路が選択される（ステップＳ３４）。この選択方法についても、ステップＳ３にて説明した方法と同様である。
【００７８】
その後、伝送される情報の種類に応じて選択された伝送路の帯域が帯域確保部１４５によって確保され（ステップＳ３５）、無線リンクの確立要求か行われる（ステップＳ３６）。
【００７９】
なお、選択された伝送路上に該情報を伝送するだけの帯域を確保できないと帯域確保部１４５にて判断された場合、他の伝送路が選択され、当該他の伝送路上にて該情報を伝送するだけの帯域が確保されるものであっても良い。
【図面の簡単な説明】
【００８０】
【図１】本発明の移動通信システムの実施の一形態を示す図である。
【図２】図１に示したＲＮＣの一構成例を示す図である。
【図３】図２に示した伝送路種別テーブルに登録された内容の一例を示す図である。
【図４】図２に示した設定更新タイミングテーブルに登録された内容の一例を示す図である。
【図５】図２に示した通信サービス利用状況テーブルに格納された内容の一例を示す図である。
【図６】図１及び図２に示した移動通信システムにおける動作制御方法のうち、基地局間ハンドオーバのタイミングで伝送路を選択し、伝送される情報種別に合わせて伝送路の帯域を確保する方法を説明するためのシーケンス図である。
【図７】図１及び図２に示した移動通信システムにおける動作制御方法のうち、ベアラサービスが追加または削除されるタイミングで伝送路を選択し、伝送される情報種別に合わせて伝送路の帯域を確保する方法を説明するためのシーケンス図である。
【図８】図１及び図２に示した移動通信システムにおける動作制御方法のうち、無線制御パラメータ設定の設定更新要求を作成して送信する方法を説明するためのシーケンス図である。
【図９】図１及び図２に示した移動通信システムにおける動作制御方法のうち、伝送路上に帯域を確保できない場合の伝送路の再選択の方法を説明するためのシーケンス図である。
【図１０】従来のＷ−ＣＤＭＡ方式を用いた移動通信システムの構成の一例を示す図である。
【符号の説明】
【００８１】
１０１    ＣＮ
１０２    ＲＡＮ
１０３    ＵＥ
１０４、１０５    ＲＮＣ
１０６〜１０９    Ｎｏｄｅ  Ｂ
１１０    ＡＴＭネットワーク
１１１    ＩＰネットワーク
１４１    伝送路種別テーブル
１４２    設定更新タイミングテーブル
１４３    通信サービス利用状況テーブル
１４４    伝送路選択部
１４５    帯域確保部
１４６    設定更新タイミング決定部
１４７    情報伝送部
【図１】
0004760531.tif 000002
【図２】
0004760531.tif 000003
【図３】
0004760531.tif 000004
【図４】
0004760531.tif 000005
【図５】
0004760531.tif 000006
【図６】
0004760531.tif 000007
【図７】
0004760531.tif 000008
【図８】
0004760531.tif 000009
【図９】
0004760531.tif 000010
【図１０】
0004760531.tif 000011